(57)【要約】【課題】  送電線鉄塔は、山岳地帯の山頂や原野、田畑等に建設されている物が多く、これらの鉄塔を管理するため、すべての鉄塔に番号が付いている。従来方式の鉄塔番号表示札では、大きさに限りがあり、鉄塔直前まで行かなければその数値を確認できなかった。保守のため、山頂の鉄塔まで行き、番号を確認すると違っていたため、さらに別な山へ登らねばならない等のロスが伴った。そこで、遠く離れた位置場所からでも、鉄塔番号を確認できる番号表示方法が必要であった。【解決手段】本考案は、鉄塔を構成する主柱と水平支材と斜支材に一定の数値を表示するルールの基にペイント表示することで、遠くから離れた位置から番号を確認できる方法である。【選択図】図５
0003126510.tif 000002
【実用新案登録請求の範囲】
【請求項１】
四角柱型鉄塔および、四角錐型鉄塔を構成する材料で、主柱と水平支材と斜支材の内、左右の主柱と上下の水平支材で囲まれる範囲の材料に０から９までの数値を示す材料を定めて表示することを特徴とした数値認識表示法。
【考案の詳細な説明】
【技術分野】
【０００１】  本考案は、送電線鉄塔等の鉄塔番号の表示方法に関する技術である。
【背景技術】
【０００２】  送電線鉄塔は１００ｍ位〜６００ｍ位の間隔で建てられているが、すべての鉄塔に管理番号が付いている。一般的には主柱の地上３ｍ付近に幅１０ｃｍ高さ２０ｃｍ位のプレートに線路名称と番号が表示されている。保守管理のため、番号確認する際は、鉄塔建設地点まで行き、ナンバープレートで数値が確認できる距離まで接近して、鉄塔番号を確認していた。しかし送電線鉄塔は山頂や原野、水田、畑等に建設されている場合が多く、建設地点まで番号を確認するため、険しい山を登ったり、耕作中の田畑に入ったりして確認しなければならない。しかし、鉄塔の近くまで行かないと番号が確認できないため、苦労して現地までたどり着いて番号を確認して始めて、目的の鉄塔でない場合もあり、このような場合更に番号確認ため、別な鉄塔が建っている現地まて行かるばならなかった。そこで、鉄塔から遠く離れても番号が確認できる方法が必要であった。
【考案の開示】
【考案が解決しようとする課題】
【０００３】  鉄塔番号を遠く離れた位置から確認できる表示方法が必要であった。
【課題を解決する手段】
【０００４】  本考案は、鉄塔を構成する主柱と水平支材と斜支材に一定の数値を表示するルールの基にペイント表示することで、遠くから離れた位置から番号を確認できる方法を提示する。
【０００５】  鉄塔の材料は、主柱と水平支材と斜支材から構成され、左右の主柱と上下の水平支材で囲まれる範囲の材料に１の位、次の範囲を１０の位次の範囲を１００の位を示す。
【０００６】  鉄塔構造を正面から見て、中心線エ基準に左右対称になる。図２
【０００７】  図３で説明すると、左右の主柱と上下の水平支材で囲まれる範囲の材料に０から９までの認識番号のルールを決める。
【課題を解決するための手段】
図３で示すように、主柱左上を１、斜支材左上を２、斜支材右上を３、主柱右上を４、主柱左下を５、斜支材左下を６、斜支材右下を７、主柱右下を８、水平支材下左を９．水平支材下右を０に決める。
【０００８】番号の表示は、該当す番号材料にペイント表示又は、カラーシールやカラーゴム磁石等で表示する。
【考案の効果】
【０００９】    鉄塔を管理するにあたり、従来方式の鉄塔番号表示札では、大きさに限りがあり、鉄塔直前まで行かなければその数値を確認できなかった。  本考案により、遠く離れた場所からでも、番号を容易に確認できるので、番号確認のため山頂に建っている鉄塔直前まで登る必要がなくなり、体力の消耗、大幅なコスト削減に役立つ。また、従来の番号札方式は、鉄塔管理者および関係者以外の者にも番号がわかるので、機密情報の手段としては使えなかった。鉄塔番号は鉄塔管理者および関係者だけが分かるルールにすることで、機密漏えい防止対策の効果も発生する。
【考案を実施するための最良の形態】
【００１０】  以下図面により本考案の実施形態を説明する。たとえば３６は図４、２３４は図５に示す位置に目立つ色彩でペイントすることにより、遠くは離れた場所から、番号を認識できる。【００１１】色の表示は、カラーシールを材料に貼り付けても良い。【００１２】又、鉄塔は錆び防止のため、定期的に鉄塔全体を塗り替しているので、この時、シールで貼り付けたものは、剥ぎ取らねばならないので、剥ぎ取る手間を考慮すると、カラーゴム磁石を付ける法がより効率よく作業できる。
【産業上の利用可能性】
【００１３】送電線鉄塔は、山林地帯の尾根や原野、田畑等に建設されている場合が多く、送電線や鉄塔への落雷等の位置確認のため、どうしても指定された鉄塔へ出向わなければならない。従来は、番号確認のために鉄塔建っている山頂まで登って番号を確認し、違っていればさらに別な鉄塔が建っている山へ上り番号確認する必要があったが、遠く離れた場所から鉄塔番号を確認できれば、山頂まで登らずに済み、大幅なコスト削減になる。【００１４】鉄塔番号は、電力会社の機密情報として扱っているいので、関係者以外は、わからない方が良く、本考案で番号を管理すれば、関係者以外は、番号を知る事ができず、機密漏洩防止にも役立つ。
【図面の簡単な説明】
【００１５】
【図１】鉄塔構造図
【図２】鉄塔構成材料を示す図
【図３】０から９までの数値表示位置を示す図
【図４】鉄塔番号３６を表示する位置を示。
【図５】鉄塔番号２３４を表示する位置を示。
【符号の説明】
【００１６】ア  主柱
イ  水平支材
ウ  斜支材
エ  中心線
【図１】
0003126510.tif 000003
【図２】
0003126510.tif 000004
【図３】
0003126510.tif 000005
【図４】
0003126510.tif 000006
【図５】
0003126510.tif 000007
【手続補正書】
【提出日】平成18年8月17日(2006.8.17)
【手続補正１】
【補正対象書類名】実用新案登録請求の範囲
【補正対象項目名】全文
【補正方法】変更
【補正の内容】
【実用新案登録請求の範囲】
【請求項１】
四角柱型鉄塔若しくは、四角錐型送電線鉄塔であって、予め主柱と水平支材と斜支材に０から９までを定めておき、鉄塔番号に相当する数値を示すマーキングを主柱と水平支材もしくは、斜支材に施したことを特徴とする送電線鉄塔。
【手続補正２】
【補正対象書類名】明細書
【補正対象項目名】全文
【補正方法】変更
【補正の内容】
【考案の詳細な説明】
【技術分野】
【０００１】
本考案は、送電線鉄塔の鉄塔番号の表示に関する。
【背景技術】
【０００２】
送電線鉄塔は１００ｍ位〜６００ｍ位の間隔で建てられているが、すべての鉄塔に管理番号が付いている。一般的には主柱の地上３ｍ付近に幅１０ｃｍ高さ２０ｃｍ位のプレートに線路名称と番号が表示されていた。
【考案の開示】
【考案が解決しようとする課題】
【０００３】
鉄塔番号を遠く離れた位置から確認できることである。
【課題を解決するための手段】
【０００４】
本考案は四角柱型鉄塔若しくは、四角錐型送電線鉄塔であって、予め主柱と水平支材と斜支材に０から９までを定めておき、鉄塔番号に相当する数値を示すマーキングを主柱と水平支材もしくは、斜支材に施したことを特徴とする送電線鉄塔である。
【考案の効果】
【０００５】
鉄塔を管理するにあたり、従来方式の鉄塔番号表示札では、大きさに限りがあり、鉄塔直前まで行かなければその数値を確認できなかった。本考案により、遠く離れた場所からでも、番号を容易に確認できるので、番号確認のため山頂に建っている鉄塔直前まで登る必要がなくなり、体力の消耗、大幅なコスト削減に役立つ。
【考案を実施するための最良の形態】
【０００６】
図１で説明すると、主材と水平支材で囲まれる区域を高い順にオ、カ、キとすると
オを１００の位、カを１０の位、キを１の位とし、更に区域詳細を図２で示す。
【０００７】
図２において、鉄塔の材料は、主材（ア）と水平支材（イ）と斜支材（４）から構成されていて、鉄塔構造を正面から見て、中央線（エ）基準に左右対称となる。
【０００８】
実施例として、番号を付ける基準を図３で説明すると、左右の主材と上下の水平支材で囲まれる範囲の材料に０から９までの認識番号のルールを決める。
【０００９】
図３で示すように、主柱左上を１、斜支材左上を２、斜支材右上を３、主柱右上を４、主柱左下を、５斜支材左下を６、斜支材右下を７、主柱右下を８、水平支材下左を９、水平支材下右を０に決める。
【００１０】
番号の表示は該当する番号材料にペイント表示又は、カラーシール若しくはカラーゴム磁石等で表示する。
【００１１】
送電線鉄塔の骨材は鉄で出来ているので、ハッキリ目立つカラーゴム磁石を５ｃｍ×５０cm位のサイズした物を使用するのが望ましい。
【００１２】
鉄塔番号は、鉄塔建て替えや、割入れ、あるいは、線路名変更などで替わる場合がある。このような場合ゴム磁石なら簡単に取り替えができる。
【００１３】
実施例を図４で説明する。例えば鉄塔番号３６を表示する場合は、１０の位の３をカの区域にある斜支材３にしるしを付ける。次に１の位の６を１の位キの区域にある斜支材６へしるしをつける。
【００１４】
鉄塔番号を読み取る際、鉄塔１０の区域カの３にあるので３０が判る次オの区域６にあるので６を確認できる。したがって、３６を読み取ることができる。
【図面の簡単な説明】
【００１５】
【図１】鉄塔構造図
【図２】鉄塔構成材料を示す図
【図３】０から９までの数値表示位置を示す図
【図４】鉄塔番号３６を表示する位置を示
【図５】鉄塔番号２３４を表示する位置を示
【符号の説明】
【００１６】
ア  主材
イ  水平支材
ウ  斜材
エ  中心線
オ  １００の位を示す区域
カ  １０の位を示す区域
キ  １の位を示す区域
【手続補正３】
【補正対象書類名】図面
【補正対象項目名】図１
【補正方法】変更
【補正の内容】
【図１】
0003126510.tif 000008